(57)【要約】【課題】吸入パネルの開閉をドアスイッチに連動して正確に判断し、空気清浄器を運転停止をする。【解決手段】空気調和機の電子制御装置３において、吸入パネルがオープンした時、空気清浄器１の高圧電源ユニット２への電源経路に電圧検出部を設置することで、高圧電源ユニット２の電源電圧の影響をなくし、制御部８に吸入パネル開閉信号７を入力させることで、電源電圧低下による保護機能としての空気清浄器異常でなく、吸入パネルオープンとして正確に判断することができる。【選択図】図１
2006061814.tif 000002
【特許請求の範囲】
【請求項１】
本体に空気清浄器及び吸入パネルが取り付けられる空気調和機において、前記吸入パネルの開閉に連動して前記空気清浄器の高圧電源ユニットに電源を供給するドアスイッチを設け、このドアスイッチを経由して供給される電源を、該電源の電圧を検出するパネル開閉検出部を介してパネル開閉信号に変換し制御部に入力すると共に電圧検出部を介して空気清浄器側に駆動用電源を供給し、吸入パネルが開いてドアスイッチがオフした時に、空気清浄器への電源供給を遮断し、電源供給がないことを電圧検出部が判断すると、空気清浄器への接続を遮断することを特徴とする空気調和機。
【発明の詳細な説明】
【技術分野】
【０００１】
本発明は電気集塵方式の空気清浄器を搭載した空気調和機に関するものである。
【背景技術】
【０００２】
従来、この種の空気清浄器を搭載した空気調和機は、吸入パネルの開閉検知回路や、空気清浄器の高圧電源ユニットでの異常を検知する検知回路が空気調和機の制御回路部に設けられている（特許文献１参照）。図３は特許文献１に記載された従来の空気調和機、図４は空気調和機の吸入パネルが開いた時のタイミングチャートを示す。
【０００３】
空気清浄器１内の高圧電源ユニット２は、電子制御装置３内の電源部４よりドアスイッチ５を経由して高圧電源ユニット２へ供給電源１０１が供給される。供給電源１０１は、吸入パネルの開閉をドアスイッチ５によりオン／オフし、また、パネル開閉検出部６を介して吸入パネル開閉検知信号７として、制御部８へ入力されるように構成されている。空気清浄器１が運転状態で、吸入パネルオープン１０２すると、ドアスイッチ５がオフするため、供給電源１０１が低下して、パネルオープン検知装置６が駆動し、パネル開閉信号７のオン信号が制御部８に入力され、制御部８では吸入パネルが開いていると判断する。
【特許文献１】特開平６−７４４８１号公報
【発明の開示】
【発明が解決しようとする課題】
【０００４】
しかしながら、前記従来の構成では、吸入パネルオープン１０２すると、空気清浄器１の高圧電源ユニット２の電源が遮断され、高圧電源ユニット内のコンデンサ９に蓄積した電位を放電するため、供給電源１０１が急激に低下する。高圧電源ユニット２の供給電源１０１は、パネルオープン検出装置と直結しているため、供給電源１０１が十分低下し、供給電源１０１が電圧１０３に達した時、電子制御装置３内のパネル開閉検知装置６が電圧低下を検知し、制御部８に吸入パネルオープン信号７が入力され、制御部９では、吸入パネルオープンであると判断し、空気清浄器運転信号１０をオフし、空気清浄器１を停止させる。ところが、通常、高圧電源ユニット２は、保護機能が設けられており、吸入パネルが開く１０２ことにより高圧電源ユニット２の供給電源１０１が低下して、電圧１０４になると、保護機能が働き、空気清浄器１は、電子制御装置３の制御部８に異常信号１１を送り、空気清浄器運転信号１０をオフし、高圧電源ユニット２の動作を停止させる。。制御部８への入力は、吸入パネル開閉信号７は、異常信号１１より遅れ、本来、吸入パネルオープンによる空気清浄器停止であるにも関わらず、空気清浄器異常として誤検知をするという課題を有していた。
【０００５】
本発明は、前記従来の課題を解決するもので、空気清浄器の吸入パネルをオープンすれば、電子制御装置３の制御部８は、電源電圧１０１低下による保護機能からの空気清浄器異常でなく、吸入パネルオープンとして判断できる空気調和機を提供することを目的とする。
【課題を解決するための手段】
【０００６】
前記従来の課題を解決するために、本発明の空気調和機は、空気清浄器の高圧電源ユニットへの電源電圧を検出する電圧検出部を設けたものである。
【０００７】
これによって、吸入パネルが開いた時、高圧電源ユニットへの供給電圧の低下を判断して、高圧電源ユニットへの経路を遮断することで、パネル開閉検出部が高圧電源ユニット側の電源電圧降下の影響を受けずに、吸入パネル開閉を判断できる。
【発明の効果】
【０００８】
本発明の空気調和機は、吸入パネルの開閉を正確に検知し、吸入パネルの開閉に応じて、正確に空気清浄器の運転・停止を行うことができる。
【発明を実施するための最良の形態】
【０００９】
本発明の空気調和機は、空気清浄器の高圧電源ユニットの電源供給経路に電圧検出部を設けることで、高圧電源ユニットへの電圧供給が遮断されると、前記電圧検出部が経路を遮断して吸入パネルのオープンを検出する。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における空気調和機のブロック図である。図２は、吸入パネルを開いた時の各部の電圧変化のタイムチャートである。
【００１２】
空気清浄器１の高圧電源ユニット２は、電子制御装置３内の電源部４より吸入パネルの開閉でオン／オフするドアスイッチ５を経由して、電圧検出部１２を通り、供給電源１０１が供給される。また、ドアスイッチ５を経由した電圧は、パネル開閉検出部６を介して、パネル開閉信号７として、電子制御装置３内の制御部８が入力される。吸入パネルが閉じられ、ドアスイッチ５がオンして、制御部８に吸入パネル開閉信号７がオフしている状態で、制御部８から空気清浄器運転信号１０のオン信号を送ると高圧電源ユニット２が動作し、集塵部１３で集塵を行う。空気清浄器１が動作状態において、吸入パネルを開き１０２、ドアスイッチ５がオフすると、電圧検出部５が高圧電源ユニット２への経路を遮断するため、高圧電源ユニット２に供給されていた電源電圧１０１は、急に低下する。
【００１３】
一方、ドアスイッチ５がオフすると電圧検出部５により、空気清浄器１の高圧電源ユニットとの信号線が遮断されるため、高圧電源ユニット２の供給電源１０１降下の影響を受けることなくパネル開閉検出部が働き、パネルオープンを検知して制御部７にパネル開閉信号７が入力される。制御部７にパネル開閉信号７が入力されると、空気清浄器機１の高圧電源ユニット２への駆動信号をオフし、高圧電源ユニット２を停止させる。再び、吸入パネルが閉じられ、ドアスイッチ５がオンすると吸入パネルオープン信号がオフするため、空気清浄器は再運転される。
【００１４】
以上のように吸入パネルオープン時の空気清浄器の停止を、異常として誤検出することなく正しく吸入パネルの開閉を判断することができる。
【産業上の利用可能性】
【００１５】
本発明の空気調和機は、吸入パネルの開閉を正確に検出することが可能となり、空気清浄器の異常と誤検知することがなくなるので、専門的な知識のない人が使用する一般家庭用として適する。
【図面の簡単な説明】
【００１６】
【図１】本発明の実施の形態１における空気調和機の構成ブロック図
【図２】本発明の実施の形態１における空気調和機の動作タイムチャート
【図３】従来の空気調和機の構成ブロック図
【図４】従来の空気調和機の動作タイムチャート
【符号の説明】
【００１７】
１  空気清浄器
２  高圧電源ユニット
３  電子制御装置
４  電源部
５  ドアスイッチ
６  パネル開閉検出部
７  パネル開閉信号
８  制御部
９  コンデンサ
１０  空気清浄器運転信号
１１  空気清浄器異常信号
１２  電圧検出部
１３  集塵部
１０１  供給電源
１０２  吸入パネルオープン
１０３  吸入パネルオープン検出電圧
１０４  空気清浄器異常検出電圧
【図１】
2006061814.tif 000003
【図２】
2006061814.tif 000004
【図３】
2006061814.tif 000005
【図４】
2006061814.tif 000006